(57)【要約】      （修正有）【課題】接着層とワークとの間に隙間が生じることを防止する。【解決手段】表示装置用部材の製造装置１００は、表示装置を構成する液晶パネルＳ１及びカバーパネルＳ２からなる一対のワークが接着剤を介して貼り合わされた表示装置用部材の製造装置１００であって、液晶パネルＳ１上に接着剤を塗布して接着層を形成する接着剤塗布装置１と、液晶パネルＳ１上に接着層誘導部を形成する接着層誘導部形成装置６と、液晶パネルＳ１上に形成された接着層をカバーパネルＳ２に接触させることで一対のワークを貼り合せる貼合装置２と、を備え、接着層誘導部は、貼合装置２において接着層の縁部の少なくとも一部をカバーパネルＳ２と接触する接触位置に誘導する。【選択図】図１
2015194727.tif 000002
【特許請求の範囲】
【請求項１】
表示装置を構成する一対のワークが接着剤を介して貼り合わされた表示装置用部材の製造装置であって、
前記一対のワークの少なくとも一方に前記接着剤を面状に塗布して接着層を形成する塗布装置と、
前記一対のワークの少なくとも一方に接着層誘導部を形成する接着層誘導部形成装置と、
一方のワークに形成された前記接着層を他方のワークに接触させることで前記一対のワークを貼り合わせる貼合装置と、を備え、
前記接着層誘導部は、前記貼合装置において一方のワークに形成された前記接着層の縁部の少なくとも一部を、他方のワークとの接触位置に誘導することを特徴とする表示装置用部材の製造装置。
【請求項２】
前記一対のワークを撮像する撮像装置を更に備え、
前記接着層誘導部形成装置は、前記撮像装置が撮像した前記一対のワークの画像に基づいて前記一対のワークの少なくとも一方に対して前記接着層誘導部を形成することを特徴とする請求項１に記載の表示装置用部材の製造装置。
【請求項３】
前記一対のワークを、前記塗布装置と前記貼合装置との間で搬送する搬送装置を更に備え、前記撮像装置及び前記接着層誘導部形成装置は、当該搬送装置に隣接して設けられ、
前記貼合装置は、前記撮像装置が撮像した前記一対のワークの画像に基づいて、前記一対のワークの位置合わせを行うことを特徴とする請求項２に記載の表示装置用部材の製造装置。
【請求項４】
前記接着層誘導部形成装置は、前記塗布装置の前段に設けられ、前記接着層の形成前に、前記接着剤が塗布されるワークに前記接着層誘導部を形成することを特徴とする請求項１記載の表示装置用部材の製造装置。
【請求項５】
前記塗布装置の後段に設けられ、エネルギーを照射することにより接着剤を仮硬化させる照射装置を更に備え、
前記照射装置は、前記接着層誘導部と前記接着層が形成されたワークに前記エネルギーを照射することを特徴とする請求項４記載の表示装置用部材の製造装置。
【請求項６】
前記接着層誘導部は、親接着剤性材料により形成されることを特徴とする請求項１〜５のいずれか一項に記載の表示装置用部材の製造装置。
【請求項７】
前記接着層誘導部は、前記接着層を形成する接着剤と同じ接着剤により形成されることを特徴とする請求項１〜６のいずれか一項に記載の表示装置用部材の製造装置。
【請求項８】
前記接着層誘導部は、前記接着層を形成する接着剤よりも粘度の低い接着剤により形成されることを特徴とする請求項１〜６のいずれか一項に記載の表示装置用部材の製造装置。
【請求項９】
前記接着層誘導部形成装置は、接着剤を塗布面に押し付けて転写する転写装置を備えることを特徴とする請求項１〜８のいずれか一項に記載の表示装置用部材の製造装置。
【請求項１０】
前記接着層誘導部形成装置は、ワーク表面の粗さを変えることにより接着層誘導部を形成することを特徴とする請求項１〜５のいずれか一項に記載の表示装置用部材の製造装置。
【請求項１１】
前記接着層誘導部形成装置は、ワーク表面の活性状態を変えることにより接着層誘導部を形成することを特徴とする請求項１〜５のいずれか一項に記載の表示装置用部材の製造装置。
【請求項１２】
前記一対のワークは、第１のワーク及び第２のワークを有し、
前記第２のワークの面上には、多角形状の内枠が形成され、
前記塗布装置は、前記第１のワーク上に、前記内枠と相似形及び同じ大きさの前記接着層を形成し、
前記貼合装置において、前記接着層が前記内枠内に入るように前記一対のワークは貼り合わせされ、
前記接着層誘導部形成装置は、前記第２のワークの前記内枠の縁部の少なくとも一部に接着層誘導部を形成し、前記接着層誘導部は、貼り合せ時において前記接着層の縁部の少なくとも一部を前記内枠の縁部に到達するように誘導することを特徴とする請求項１〜１１のいずれか一項に記載の表示装置用部材の製造装置。
【請求項１３】
前記一対のワークは、第１のワーク及び第２のワークを有し、
前記第２のワークの面上には、多角形状の内枠が形成され、
前記塗布装置は、前記第１のワーク上に、前記内枠と相似形及び同じ大きさの前記接着層を形成し、当該接着層の各隅は塗布後曲面形状となるものであり、
前記貼合装置において、前記接着層が前記内枠内に入るように前記一対のワークは貼り合わせされ、
前記接着層誘導部形成装置は、前記第２のワークの前記内枠の各隅に接着層誘導部を形成し、前記接着層誘導部は、貼り合せ時において前記接着層の各隅を前記内枠の各隅に到達するように誘導することを特徴とする請求項１２に記載の表示装置用部材の製造装置。
【請求項１４】
表示装置を構成する一対のワークが接着剤を介して貼り合わされた表示装置用部材の製造方法であって、
前記一対のワークの少なくとも一方に前記接着剤を面状に塗布して接着層を形成する塗布処理と、
前記一対のワークの少なくとも一方に接着層誘導部を形成する接着層誘導部形成処理と、
一方のワークに形成された前記接着層を他方のワークに接触させることで前記一対のワークを貼り合わせる貼合処理と、を有し、
前記接着層誘導部は、前記貼合処理において一方のワークに形成された前記接着層の縁部の少なくとも一部を、他方のワークとの接触位置に誘導することを特徴とする表示装置用部材の製造方法。
【発明の詳細な説明】
【技術分野】
【０００１】
本発明は、表示装置用部材の製造装置及び表示装置用部材の製造方法に関する。
【背景技術】
【０００２】
一般的に、液晶ディスプレイや有機ＥＬディスプレイを代表とする平板状の表示装置（フラットパネルディスプレイ）は、表示パネルと、必要に応じて操作用のタッチパネルや表面を保護する保護パネル（カバーパネル）、バックライトやその導光板等が、フラットパネルディスプレイの筐体に組み込まれて構成されている。
【０００３】
これらの表示パネル、タッチパネル、カバーパネル、バックライトやその導光板等のワーク（以下、単にワークと呼ぶ）は、積層されてフラットパネルディスプレイの筐体に組み込まれる。それぞれのワークは、個別にあるいは予め積層された状態で組み込まれる。例えば、保護カバーにタッチパネルを積層した複合パネルとして構成されたものを用いることもある。
【０００４】
また、表示パネルには、タッチパネルの機能が組み込まれたものが用いられることもある。このように、ワークとしては様々な形態があるが、以下、表示装置を構成するワークを、複数積層したものを、表示装置用部材と呼ぶ。
【０００５】
このような、表示装置用部材として積層される各ワークの間にギャップが設けられると、外光反射により、ディスプレイの表示面の視認性が低下する。これに対処するため、各ワークを、接着層を介して貼り合せて積層することによって、各ワークの間のギャップを埋めることが行われている。接着層の形成には種々の方法があるが、一例として、いずれか一方のワーク、あるいは両方のワーク表面に接着剤を塗布することによって形成する方法がある。
【０００６】
例えば、図１９（Ａ）及び（Ｂ）に示すような矩形の液晶パネルＳ１を、図１９（Ｃ）及び（Ｄ）に示すような外周に印刷枠Ｐが形成されたカバーパネルＳ２と貼り合せて表示装置用部材を構成する場合、接着剤は、一例として、液晶パネルＳ１の側に塗布する。塗布には、一例としてスリット型のノズルを用いる。スリット型のノズルから、ＵＶ硬化樹脂の接着剤をワークの塗布面に塗布しながら、ノズルとワークとを相対移動させることにより、ワークの塗布面の全体に接着剤を塗布し、矩形状の接着層Ｒ１を形成する。
【０００７】
一般的に、液晶パネルＳ１の表示領域とカバーパネルＳ２の印刷枠Ｐに囲まれた内枠Ｆとは、相似形で略同じ大きさとなっている。したがって、液晶パネルＳ１の表面全体に接着剤を塗布するということは、液晶パネルＳ１に形成する接着層Ｒ１が、カバーパネルＳ２の印刷枠Ｐに囲まれた内枠Ｆと相似形及び略同じ大きさになるようにすることと同じである。すなわち、内枠Ｆが矩形の場合は、接着層Ｒ１も略同じ大きさの矩形になるように形成される。これによって、両パネルが貼り合わされた際に、接着層Ｒ１の外縁がカバーパネルＳ２の内枠Ｆの枠線に重なって接着層Ｒ１の線が見えなくなり、製品の外観が良くなる。
【先行技術文献】
【特許文献】
【０００８】
【特許文献１】特開２０１２−７３５３３号公報
【発明の概要】
【発明が解決しようとする課題】
【０００９】
しかしながら、ノズルから吐出された接着剤は、ワークに塗布された後、表面張力によって半球形になる。したがって、スリット型のノズルで接着剤を矩形状に塗布したとしても、接着層Ｒ１の縁部は断面視直角にはならず、図１９（Ａ）及び（Ｂ）に示すように上部にＲが付いた、曲面状態となってしまう。縁部のうちでも、特に、四隅の部分は表面張力が大きく作用するため１／４の球形状となり、他の部分よりも大きなＲが形成されている状態となる。
【００１０】
この状態で液晶パネルＳ１とカバーパネルＳ２を貼り合せると、図２０に示すように、接着層Ｒ１の縁部とカバーパネルＳ２の内枠Ｆの枠線の間に隙間が生じてしまう可能性がある。また、縁部に形成されるＲの大きさを予め考慮して塗布形状をコントロールすることもできるが、縁部の四隅の部分については直線部分よりも大きなＲが形成されてしまう為、内枠Ｆの四隅との間に視認可能なほどの隙間ができてしまう場合がある。
【００１１】
近年、表示パネルの表示領域の拡大化が要求されており、印刷枠の幅はできるだけ狭くすることが要求されている。そのような厳しい要求があると、わずかでも隙間ができてしまうと外観の面で製品不良となってしまう可能性がある。また、表示パネルをタッチパネル等と貼り合わせる場合は、印刷枠に関係なく、貼り合わせ面の縁部に接着剤が充填されていない部分があると、接着層縁部の線が表示領域中に存在することとなり、外観上の不良となってしまう。いずれにしても、隙間部分から剥離などが生じやすくなり、製品寿命に影響する。
【００１２】
本発明の目的は、上述したような課題を解決するために、接着層の縁部とワークとの間に隙間が生じないように接着層を誘導することで、高い品質の表示装置用部材を製造することを可能にし、また製品の歩留りも向上させることができる表示装置用部材の製造装置及び製造方法を提供することにある。
【課題を解決するための手段】
【００１３】
上記の目的を達成するために、本発明は、表示装置を構成する一対のワークが接着剤を介して貼り合わされた表示装置用部材の製造装置であって、前記一対のワークの少なくとも一方に前記接着剤を面状に塗布して接着層を形成する塗布装置と、前記一対のワークの少なくとも一方に接着層誘導部を形成する接着層誘導部形成装置と、一方のワークに形成された前記接着層を他方のワークに接触させることで前記一対のワークを貼り合わせる貼合装置と、を備え、前記接着層誘導部は、前記貼合装置において一方のワークに形成された前記接着層の縁部の少なくとも一部を、他方のワークとの接触位置に誘導する表示装置用部材の製造装置を提供する。
【００１４】
また、本発明は、表示装置を構成する一対のワークが接着剤を介して貼り合わされた表示装置用部材の製造方法であって、前記一対のワークの少なくとも一方に前記接着剤を面状に塗布して接着層を形成する塗布処理と、前記一対のワークの少なくとも一方に接着層誘導部を形成する接着層誘導部形成処理と、一方のワークに形成された前記接着層を他方のワークに接触させることで前記一対のワークを貼り合わせる貼合処理と、を有し、前記接着層誘導部は、前記貼合処理において一方のワークに形成された前記接着層の縁部の少なくとも一部を、他方のワークとの接触位置に誘導する表示装置用部材の製造方法を提供する。
【発明の効果】
【００１５】
以上、説明したように、本発明によれば、接着層誘導部を形成して接着層の縁部を対向するワークとの接触位置に誘導することによって、接着層とワークとの間に隙間が生じることを防止し、接着層部分からの剥離による破損が予防され、外観が良好な表示装置用部材を製造することができ、製品の歩留りも向上させることができる。  
【図面の簡単な説明】
【００１６】
【図１】本発明の第１の実施形態に係る表示装置用部材の製造装置の概略構成図である。
【図２】（Ａ）は、接着剤塗布装置の概略構成図である。（Ｂ）は、接着剤の塗布を示す模式図である。
【図３】貼合装置の概略構成及び動作を示す図である。
【図４】硬化装置の概略構成図及び動作を示す図である。
【図５】搬送装置の概略構成図である。
【図６】搬送装置の横断方向から見た、撮像装置及び接着層誘導部形成装置の概略構成図である。
【図７】接着剤塗布処理を示す図である。
【図８】撮像処理及び位置検出処理を示す図である。
【図９】接着層誘導部形成処理を示す図である。
【図１０】貼合処理を示す図であり、（Ａ）は貼り合せ時の液晶パネル及びカバーパネルの側部断面図であり、（Ｂ）は貼り合せ後の積層体をカバーパネルの上面側から見た図である。
【図１１】本発明の第２の実施形態に係る表示装置用部材の製造装置における、接着剤塗布装置の概略構成図である。
【図１２】（Ａ）は本発明の第２の実施形態に係る接着層誘導部形成装置の構成及び作用を示す図であり、（Ｂ）は接着層誘導部が形成された液晶パネルの側面図であり、（Ｃ）は接着層誘導部が形成された液晶パネルの上面図である。
【図１３】（Ａ）は接着層が接着層誘導部に誘導される様子を示す液晶パネルの側面図であり、（Ｂ）は接着層が液晶パネルの縁部にまで誘導された状態を示す液晶パネルの側面図であり、（Ｃ）は液晶パネルにカバーパネルを貼り合せた状態を示す側面図である。
【図１４】（Ａ）は接着層が接着層誘導部に誘導される様子を示す液晶パネルの部分斜視図であり、（Ｂ）は接着層が液晶パネルの縁部にまで誘導された状態を示す液晶パネルの部分斜視図である。
【図１５】本発明のその他の実施形態に係る搬送装置の概略構成図である。
【図１６】本発明のその他の実施形態に係る接着層誘導部形成処理を示す図である。
【図１７】本発明のその他の実施形態に係る接着層誘導部形成処理を示す図である。
【図１８】本発明のその他の実施形態に係る接着層誘導部形成処理を示す図である。
【図１９】（Ａ）は、接着層を形成した液晶パネルの上面図である。（Ｂ）は接着層を形成した液晶パネルの側面図である。（Ｃ）は、カバーパネルの底面図である。（Ｄ）は、カバーパネルの側面図である。
【図２０】液晶パネル及びカバーパネルの貼り合せの従来例を示す図であり、（Ａ）貼り合せ時の液晶パネル及びカバーパネルの側部断面図であり、（Ｂ）は貼り合せ後の積層体をカバーパネルの上面側から見た図である。
【発明を実施するための形態】
【００１７】
［第１の実施形態］
本発明の実施の形態（以下、実施形態と呼ぶ）について、図面を参照して具体的に説明
する。
【００１８】
［構成］
まず、本実施形態の構成を、図１〜図６を参照して説明する。
【００１９】
［ワーク］
本装置は、表示装置用部材の積層体を製造する表示装置用部材の製造装置である。表示装置用部材には、表示パネルとカバーパネルを積層した部材のように表示機能を備えた部材も、カバーパネルとタッチパネルを積層した部材のようにその部材だけでは表示機能を備えていない部材も含まれる。すなわち、積層の対象となるワークは、表示パネル、タッチパネル、カバーパネル、バックライトやその導光板等の様々なものがあるが、本実施形態では、第１のワークとして表示パネルと、第２のワークとしてカバーパネルとを接着剤を介して貼り合わせることにより、表示装置用部材を構成する例を説明する。
【００２０】
表示パネルは、液晶パネルや有機ＥＬパネル等の様々な種類があり、その形状も様々であるが、ここでは一例として図１９（Ａ）及び（Ｂ）で示すような、矩形状の液晶パネルＳ１を使用する例を説明する。接着剤は、液晶パネルＳ１とカバーパネルＳ２のいずれに塗布しても良く、あるいは両方に塗布しても良い。本実施形態では、図１９（Ｂ）に示すように、液晶パネルＳ１の表面に接着剤を所定の厚みで塗布して、接着層Ｒ１を形成する例を説明する。接着剤は、液晶パネルＳ１の全面に行き渡るように塗布するが、貼り合せの際に接着剤が両パネルの間からはみ出すことを防止するため、液晶パネルＳ１の外縁をわずかに残すように塗布は行われる。すなわち、接着層Ｒ１は液晶パネルＳ１と同じ矩形状であり、液晶パネルＳ１より若干小さい大きさである。
【００２１】
カバーパネルも様々な種類や形状があるが、本実施形態では、図１９（Ｃ）及び（Ｄ）に示すように、液晶パネルＳ１より大きな、矩形状のカバーパネルＳ２を用いる。このカバーパネルＳ２の底面側には、外縁を縁取るように所定幅の印刷枠Ｐが形成されている。すなわち、下面から見て、カバーパネルＳ２には印刷枠Ｐに囲まれた内枠Ｆが形成されている。図１９（Ｃ）及び（Ｄ）の例では、内枠Ｆは矩形状で四隅に丸みがついているが、図示の例に限られず、五角形や六角形等の他の多角形状であっても良く、四隅は上面視で直角となっていても良い。なお、図１９（Ｄ）に示すように、内枠Ｆの四隅は断面視では略直角となっている。内枠Ｆの大きさは、液晶パネルＳ１よりも若干小さくなっている。上述した接着層Ｒ１は、この内枠Ｆと相似形及び略同じ大きさになるように塗布される。
【００２２】
［表示装置用部材の製造装置］
本実施形態において、表示装置用部材の製造装置は、上述した液晶パネルＳ１への接着剤の塗布と、液晶パネルＳ１及びカバーパネルＳ２の貼り合せを行うことで、表示装置用部材を製造する。図１に示すように、表示装置用部材の製造装置１００は、接着剤塗布装置１、貼合装置２、硬化装置３、搬送装置４及び制御装置７を備えている。
【００２３】
液晶パネルＳ１、カバーパネルＳ２は、ローダ２００によって表示装置用部材の製造装置１００に搬入され、搬送装置４で搬送される。搬送装置４に沿って接着剤塗布装置１、貼合装置２及び硬化装置３が配置されている。不図示のピックアップ手段によって、液晶パネルＳ１、カバーパネルＳ２は搬送装置４からピックアップされ、不図示の搬入口を介して各装置への搬入及び搬出がなされる。各装置での工程を経て、表示装置用部材Ｌが製造され、アンローダ３００によって表示装置用部材の製造装置１００から搬出される。以下に、各装置の構成及び作用を詳述する。
【００２４】
［接着剤塗布装置１］
接着剤塗布装置１は、表示装置用部材の製造装置１００の塗布部として、ワークの表面に接着剤Ｒを塗布し、接着層Ｒ１を形成する。本実施形態では、上述したように液晶パネルＳ１の表面に接着剤Ｒを塗布する例について説明するが、カバーパネルＳ２に塗布を行っても良く、あるいは両パネルに塗布を行っても良い。
【００２５】
図２（Ａ）に示すように、接着剤塗布装置１は、液晶パネルＳ１を水平方向に往復移動可能に支持する支持ユニット１１と、支持ユニット１１の上方にそれぞれ配置された塗布ユニット１２を備える。
【００２６】
支持ユニット１１は、接着剤塗布装置１における液晶パネルＳ１を、塗布面を上に向けて支持する。この支持ユニット１１は、ステージ１１ａ、駆動機構１１ｂを有する。ステージ１１ａは、液晶パネルＳ１が載置される平板状のテーブルである。駆動機構１１ｂは、ステージ１１ａを水平方向に往復移動させる機構である。駆動機構１１ｂとしては、例えば、駆動源によって回転するボールねじとすることが考えられる。ただし、載置された液晶パネルＳ１を水平方向に往復移動可能な装置であれば、どのような装置であってもよい。駆動機構１１ｂにおけるステージ１１ａの移動の開始、停止及び速度は、制御装置７によって制御される。
【００２７】
塗布ユニット１２は、液晶パネルＳ１に対して接着剤Ｒを塗布する。塗布ユニット１２は、接着剤Ｒを収容するタンクＴと、ディスペンサ１４とを備えている。タンクＴは、接着剤Ｒの流路である配管及び接着剤Ｒの供給量を調節するバルブを介してディスペンサ１４に接続される。ディスペンサ１４は、たとえば、ポンプにより液晶パネルＳ１に接着剤Ｒを面状に供給するスリットを備えたスリットコータを用いることができる。
【００２８】
スリットは、液晶パネルＳ１の塗布面に平行で、液晶パネルＳ１の相対移動の方向に直交する方向に細長く延びた開口であり、その長手方向の長さが、液晶パネルＳ１の幅と同等若しくは僅かに短くなっている。ディスペンサ１４の先端部分は、このようなスリットを、ステージ１１ａ上に載置された液晶パネルＳ１に対向する位置に備えたノズル（スリットノズル）を形成している。
【００２９】
このノズルから接着剤を吐出しながら、液晶パネルＳ１を載置したステージ１１ａをノズルの下を移動させることで、図２（Ｂ）に示すように、液晶パネルＳ１のほぼ全面に面状に接着剤Ｒが塗布され、矩形状の接着層Ｒ１が形成される。ほぼ全面に、とは、縁の部分を若干残すことを意味する。上述したように、カバーパネルＳ２の内枠Ｆの大きさは液晶パネルＳ１よりも若干小さくなっている。したがって、接着層Ｒ１を、液晶パネルＳ１の縁を若干残すように塗布することで、内枠Ｆと相似形及び略同じ大きさの接着層Ｒ１を形成することができる。
【００３０】
ただし、図１９（Ａ）及び（Ｂ）に示すように、接着層Ｒ１の縁部は表面張力がはたらいて曲面形状になる。特に、四隅の部分においては表面張力が大きくはたらくため、Ｒが大きくなり、１／４の球形状となる。１／４の球形状とは、水平視においても断面視においても曲面形状となっていることを意味する。一方、カバーパネルＳ２の内枠Ｆの四隅は、断面視で略直角である。貼り合せにおいては、液晶パネルＳ１に塗布された接着層Ｒ１の外縁が、カバーパネルＳ２の内枠Ｆの線に重なるように、すなわち接触するように積層する。しかしながら、接着層Ｒ１の四隅には大きなＲがついている。したがって、図２０（Ａ）の丸囲みの部分に示すように、接着層Ｒ１の四隅は、貼り合せにおいてカバーパネルＳ２と接触可能となる位置Ｃ（以下、単に「接触位置Ｃ」という）に到達しなくなってしまう。そのため、このままの状態でカバーパネルＳ２と貼り合せると、図２０（Ｂ）に示すように、接着層Ｒ１の四隅とカバーパネルＳ２の内枠Ｆの四隅の間に隙間が生じる状態となってしまう。
【００３１】
接着剤塗布装置１で使用する接着剤Ｒは、後述する硬化装置３において硬化処理を行う為、外部からエネルギーの照射により硬化する樹脂を用いる。例えば、紫外線（ＵＶ）硬化樹脂や熱硬化樹脂、その他の電磁波、放射線等のエネルギーによって硬化する樹脂等が考えられる。本実施形態では、ＵＶ硬化樹脂を用いて説明する。使用される接着剤Ｒの粘度は、特に限定はされない。
【００３２】
なお、ここではステージ１１ａに駆動機構が備えられ、ステージ１１ａが塗布ユニット１２に向かって移動する場合を説明したが、この移動は相対的であれば良い。すなわち、ステージ１１ａは固定とし、塗布ユニット１２に駆動機構を備えて、ステージ１１ａに向かって移動するようにしても良い。
【００３３】
［貼合装置２］
貼合装置２は、表示装置用部材の製造装置１００の貼合部として、液晶パネルＳ１とカバーパネルＳ２を積層して貼り合せる。
【００３４】
図３（Ａ）に示すように、貼合装置２は、チャンバ２１内に下側プレート２２と上側プレート２３を対向配置した構成となっている。チャンバ２１は上下動が可能であり、上方に移動すると下側プレート２２と上側プレート２３が外部に開放され、液晶パネルＳ１とカバーパネルＳ２が搬入可能となる。下方に移動すると下側プレート２２と上側プレート２３はチャンバ２１内に収容され、チャンバ２１内部に密閉空間が形成される。チャンバ２１は不図示の排気手段によって内部圧力を調整可能となっている。つまり、液晶パネルＳ１とカバーパネルＳ２が搬入されると、チャンバ２１が下降して内部が密閉された上で減圧され、減圧雰囲気下で貼り合せが行われるようになっている。
【００３５】
本実施形態では、一例として、下側プレート２２に、接着剤Ｒが塗布された液晶パネルＳ１が支持され、上側プレート２３にカバーパネルＳ２が保持される場合を説明する。
【００３６】
上側プレート２３の保持機構として、たとえば、静電チャック、メカチャック、真空チャック、粘着チャック等、現在又は将来において利用可能なあらゆる保持機構が適用可能である。複数の種類のチャックを併用することも可能である。上側プレート２３には、駆動機構２５が備えられている。この駆動機構２５によって、上側プレート２３は水平方向及び上下方向に移動可能になっている。
【００３７】
上側プレート２３が水平方向に移動することによって、液晶パネルＳ１とカバーパネルＳ２との位置合わせが行われる。さらに、図３（Ｂ）に示すように、上側プレート２３が下方向に移動し、保持したカバーパネルＳ２を下側プレート２２に支持された液晶パネルＳ１に押し付けて積層する。液晶パネルＳ１とカバーパネルＳ２は、液晶パネルＳ１の表面に塗布された接着剤Ｒを介して貼り合わされ、積層体Ｓ１０が形成される。
【００３８】
なお、下側プレート２２は、支持された液晶パネルＳ１の位置がずれないように、上側プレート２３と同様の保持機構を備えていてもよい。また、上側プレート２３の代わりに下側プレート２２が水平方向に移動して位置合わせを行うようにしても良い。もちろん、上側プレート２３及び下側プレート２２の両方が水平方向に移動するものであっても良い。
【００３９】
［硬化装置３］
硬化装置３は、表示装置用部材の製造装置１００の硬化部として、液晶パネルＳ１とカバーパネルＳ２を貼り合せている接着層Ｒ１を硬化する。図４に示すように、硬化装置３は、積層体Ｓ１０が載置される載置台３１と、載置台３１上に配置された照射ユニット３３を備える。
【００４０】
照射ユニット３３は、硬化エネルギーを照射する装置から構成される。照射するエネルギーの種類は、使用する接着剤Ｒの種類によって、紫外線、赤外線などの電磁波、粒子線からなる放射線等から適宜選択することができる。接着剤ＲとしてＵＶ硬化樹脂を用いている場合には、照射ユニット３３は、例えば、ＵＶを発することができる１つまたは複数のランプやＬＥＤ等から構成することができる。照射ユニット３３の照射は、接着層Ｒ１を硬化するのに必要な量のエネルギーを照射することができるように調節されている。このエネルギーの量は、照射の強度と時間により調整される。
【００４１】
［搬送装置４］
搬送装置４は、表示装置用部材の製造装置１００の搬送部を構成する。搬送装置４は、液晶パネルＳ１とカバーパネルＳ２を、上述した接着剤塗布装置１、貼合装置２及び硬化装置３の各部へ搬送する搬送部とその駆動機構から構成される。搬送部としては、たとえば、ターンテーブル、コンベア、レール上に走行可能に設けられたピックアップ手段等が考えられるが、上記の各装置の間で液晶パネルＳ１とカバーパネルＳ２を搬送可能なものであれば、どのような装置であってもよい。
【００４２】
本実施形態では、図５に示すように、搬送部としてコンベア４０を用いる例を説明する。液晶パネルＳ１及びカバーパネルＳ２は、このコンベア４０の面に載置され、搬送される。接着剤塗布装置１、貼合装置２及び硬化装置３はこのコンベア４０に沿って配置されており、不図示のピックアップ手段によって、コンベア４０から各装置へパネルの搬入及び搬出が可能となっている。
【００４３】
ここで、説明の便宜上、コンベア４０によって両パネルが搬送される方向を「搬送方向」とし、コンベア４０上において搬送方向に直交する方向を「横断方向」とする。コンベア４０の搬送方向におけるローダ２００側を「上流側」とし、アンローダ３００側を「下流側」とする。コンベア４０の横断方向における、接着剤塗布装置１、貼合装置２及び硬化装置３に近い側を「奥側」とし、遠い側を「手前側」とする。
【００４４】
搬送装置４には、撮像装置５及び接着層誘導部形成装置６が、横断方向に隣接するように設けられている。撮像装置５及び接着層誘導部形成装置６は、コンベア４０上の、接着剤塗布装置１と貼合装置２との間に配置されている。図６に示すように、撮像装置５は、コンベア４０上方に配置されたカメラ本体５１ａと、カメラ本体５１ａからコンベア４０に向かって延びるレンズ鏡筒５１ｂとを備える。
【００４５】
接着層誘導部形成装置６は、撮像装置５のコンベア手前側に配置されている。接着層誘導部形成装置６は接着層誘導部ＲＧを形成するものである。接着層誘導部ＲＧは、接着剤塗布装置１において液晶パネルＳ１に形成された接着層Ｒ１の縁部の接着剤Ｒを所定位置に誘導するものである。矩形状の液晶パネルＳ１の場合、四隅の接着剤Ｒを、貼り合せ時に、所定位置であるカバーパネルＳ２との接触位置Ｃに誘導するものである。接着層誘導部ＲＧは、貼合装置２での貼り合せ時に接着層Ｒ１を結果的に誘導するものであれば良いため、その形成は接着層Ｒ１が形成された液晶パネルＳ１に行っても良く、対向するカバーパネルＳ２に行っても良い。本実施形態では、貼り合せ時に接着層Ｒ１の四隅が接触すべき部分であるカバーパネルＳ２の内枠Ｆの四隅に対して接着層誘導部ＲＧを形成する。
【００４６】
接着層誘導部ＲＧを形成する方法は一つのものに限定されないが、例えば、いずれかのパネルに対して親接着剤性材料を供給することにより形成することができる。親接着剤性材料は、接着剤と親和性が高い材料を意味し、液晶パネルＳ１に塗布された接着層が接触すると、呼び水となって接着剤Ｒを誘導するはたらきをする。親接着剤性材料は、特定の材料に限られないが、本実施形態では一例として、接着剤Ｒ１０を用いている。接着剤Ｒ１０は、液晶パネルＳ１に塗布した接着剤Ｒと同じものに限られず、異なるものを用いても良い。接着層誘導部ＲＧを形成する接着剤Ｒ１０は、呼び水としての役割を果たせれば良く、接着層Ｒ１を形成する接着剤Ｒのように分厚く塗布する必要がないことから、接着層Ｒ１の崩れの心配が無い。そのため、接着剤Ｒよりも粘度の低いものを用いることもできる。
【００４７】
図６に示すように、接着層誘導部形成装置６は、接着層誘導部ＲＧを形成するための接着剤Ｒ１０を収容するタンクＴ１０と、ディスペンサ６１とを備えている。タンクＴ１０は接着剤Ｒの流路である配管及び接着剤Ｒの供給量を調節するバルブを介してディスペンサ６１に接続される。
【００４８】
ディスペンサ６１は、接着剤Ｒ１０を供給できるものであれば、特定のものに限定されないが、接着剤Ｒの呼び水としてのはたらきを考えると、接着剤Ｒ１０は、接着剤Ｒを誘導したい部分に限定的にかつ薄く塗布できることが望ましい。そのために、例えば、接着剤を塗布面に押し付けることで転写する転写装置を用いることができる。本実施形態では、そのような転写装置の例として、スタンプ式ノズルを使用した例を説明する。また、接着層誘導部ＲＧを形成するための接着剤Ｒ１０は、以降は「スタンプ用接着剤Ｒ１０」と称する。なお、図６及び以降の図面において、接着層誘導部ＲＧは誇張して厚みを大きく表示しており、実際の大きさを反映したものではない。
【００４９】
ディスペンサ６１は撮像装置５のレンズ鏡筒５１ｂに不図示の固定具を介して取り付けられ、ノズル先端がコンベア４０の上面に対向するように配置されている。そして、ノズル先端の位置がレンズ鏡筒の先端よりも下に位置するように配置されている。ノズル先端の形状は、カバーパネルＳ２の内枠Ｆの四隅に沿って接着層誘導部ＲＧを形成できるように、例えば角に丸みのついた矩形とすると良い。あるいは、直角三角形の形状とし、直角の部分が四隅の角に当たるようにすると良い。
【００５０】
撮像装置５は不図示の駆動機構に連結されている。この駆動機構によって、撮像装置５は少なくとも横断方向及び上下方向への移動が可能となっている。上述したように、接着層誘導部形成装置６のディスペンサ６１は撮像装置５のレンズ鏡筒５１ｂに連結しているため、接着層誘導部形成装置６は撮像装置５と一体的に移動する。なお、撮像装置５と接着層誘導部形成装置６を連結せず、それぞれに駆動機構を設けて、独立に又は同期して移動するようにしても良い。
【００５１】
コンベア４０の搬送方向への移動と、駆動機構の横断方向への移動の組み合わせによって、撮像装置５は、コンベア４０上を搬送される液晶パネルＳ１及びカバーパネルＳ２の所望の部分を撮像が可能になる。また、コンベア４０の搬送方向への移動と、駆動機構の横断方向及び上下方向への移動の組み合わせによって、接着層誘導部形成装置６は、コンベア４０上を搬送される液晶パネルＳ１又はカバーパネルＳ２の所望の部分に対して接着層誘導部を形成することができる。
【００５２】
また、上述したように、接着層誘導部形成装置６のノズル先端は撮像装置５のレンズ鏡筒の先端よりも下に位置している。駆動機構を下方向に移動したとき、接着層誘導部形成装置６のノズル先端はレンズ鏡筒５１ｂより先に塗布面に接触するため、レンズ鏡筒５１ｂによって妨げられることなく、接着剤Ｒ１０を転写することができる。撮像装置５と接着層誘導部形成装置６の具体的な動作については、作用の項において詳述する。
【００５３】
［制御装置７］
制御装置７は、表示装置用部材の製造装置１００の動作を制御する装置である。制御装置７は、各部を構成する装置の動作の制御や、液晶パネルＳ１及びカバーパネルＳ２の搬送タイミングの制御、さらには各装置の動作に必要な検出処理や算出処理等を行う。
【００５４】
本実施形態において、制御装置７は特に、撮像装置５において取得した画像を用いて位置検出処理を行う。さらに、位置検出処理で検出された位置情報を用いて、接着層誘導部形成装置６の動作の制御と、貼合部における位置合わせ動作の制御を行う。制御装置７はまた、記憶部を備えており、記憶部には上述した処理のために必要な基準値等が格納されている。制御装置７の上述した処理の具体的な内容についても、作用の項において詳述する。
【００５５】
制御装置７は、例えば、専用の電子回路若しくは所定のプログラムで動作するコンピュータ等によって実現できる。なお、制御装置７にスイッチ、タッチパネル、キーボード、マウス等の入力装置を接続し、オペレータが制御装置７を操作できるようにしても良い。また、装置やパネルの状態を確認するためのディスプレイ、ランプ、メータ等の出力装置を接続しても良い。
【００５６】
［作用］
以上のような構成を有する本実施形態の作用を、図１〜図６に加え、図７〜図１０を参照して説明する。なお、各装置や液晶パネルＳ１及びカバーパネルＳ２の位置及び大きさ等は、説明のための便宜的な表現に過ぎない。
【００５７】
まず、図１に示すように、液晶パネルＳ１及びカバーパネルＳ２が、ローダ２００によって表示装置用部材の製造装置１００に搬入され、搬送装置４のコンベア４０上を搬送される。それぞれのパネルは、貼り合せ面となる面が上側になるように搬送される。すなわち、本実施形態では、液晶パネルＳ１は接着層Ｒ１が形成される面が上側に向くように載置され、カバーパネルＳ２は印刷枠Ｐが形成された面が上側に向くようにコンベア４０に載置される。
【００５８】
［接着剤塗布処理］
図７（Ａ）に示すように、液晶パネルＳ１は不図示のピックアップ手段によりピックアップされ、接着剤塗布装置１のステージ１１ａ上に載置される。ステージ１１ａは、駆動機構によって、塗布ユニット１２に向かう方向（以降「移動方向」という）に移動を開始する。
【００５９】
図７（Ｂ）に示すように、塗布ユニット１２は、スリットノズルの先端位置に、液晶パネルＳ１の塗り始めの位置が来たところで、接着剤Ｒの吐出を開始する。ステージ１１ａは移動を継続しているので、図７（Ｃ）に示すように、液晶パネルＳ１の面上に接着剤Ｒが塗布されていく。図７（Ｄ）に示すように、スリットノズルの先端位置に、液晶パネルＳ１の塗り終わりの位置が来たところで、接着剤Ｒの吐出を終了する。塗り始めの位置は液晶パネルＳ１の一辺の端部（図中、左端）であり、塗り終わりの位置とは、これに対向する一辺の端部（図中、右端）である。
【００６０】
このステージ１１ａの移動と塗布ユニット１２による接着剤Ｒの吐出によって液晶パネルＳ１の上面に、矩形状の接着層Ｒ１が形成される。接着層Ｒ１は、液晶パネルＳ１が貼り合わされるカバーパネルＳ２の内枠Ｆと相似形及び略同じ大きさとなるように形成される。「相似形及び略同じ大きさ」とは、液晶パネルＳ１及びカバーパネルＳ２が貼り合わされた際に、接着層Ｒ１の外縁が内枠Ｆの外縁とほぼ重なる形状及び大きさを意味する。さらに「相似形及び同じ大きさ」と言った場合でも、完全に大きさが一致するものだけを示すものではなく、ほぼ同じ大きさを意味する「略同じ大きさ」を含むものである。
【００６１】
ただし、上述したように、接着層Ｒ１の縁部においては表面張力がはたらくため曲面形状となり（図１９（Ａ）及び（Ｂ）参照）、特に四隅の部分においては１／４の球面形状となる。このため、カバーパネルＳ２の内枠Ｆの四隅との接触位置Ｃに到達せず（図２０（Ａ）参照）、そのままの状態でカバーパネルＳ２と貼り合せると、接着層Ｒ１の縁部あるいは四隅とカバーパネルＳ２の内枠Ｆの辺や四隅の間に隙間が生じる状態となっている（図２０（Ｂ）参照）。
【００６２】
［撮像処理、位置検出処理及び接着層誘導部形成処理］
接着層Ｒ１が形成された液晶パネルＳ１は、不図示のピックアップ手段によって接着剤塗布装置１から搬出され、再び搬送装置４のコンベア４０上に載置され、カバーパネルＳ２と合流する。図５に示すように、液晶パネルＳ１とカバーパネルＳ２は、コンベア４０の横断方向に隣接して、かつ略平行に並ぶように載置される。図面では、液晶パネルＳ１がコンベア４０奥側、カバーパネルＳ２がコンベア４０の手前側に載置される例を図示しているが、載置位置はこれに限られず、液晶パネルＳ１がコンベア４０手前側、カバーパネルＳ２がコンベア４０奥側に載置しても良い。液晶パネルＳ１とカバーパネルＳ２はコンベア４０上を搬送され、撮像装置５及び接着層誘導部形成装置６の下まで移動する。
【００６３】
ここで、撮像装置５による撮像処理、制御装置７による位置検出処理、及び接着層誘導部形成装置６による接着層誘導部形成処理が行われる。
【００６４】
撮像処理及び位置検出処理は、後述する貼合処理の両パネルの位置合わせに使用するデータを取得するために行う。上述したように、液晶パネルＳ１とカバーパネルＳ２は、液晶パネルＳ１に形成された接着層Ｒ１の外縁が、カバーパネルＳ２の内枠Ｆの線に重なるように積層される。すなわち、液晶パネルＳ１上に形成された接着層Ｒ１の四隅とカバーパネルＳ２の内枠Ｆの四隅（以下、単に「カバーパネルＳ２の四隅」ともいう）とを合わせるように貼り合せを行う。両パネルの四隅の位置にズレがある場合は、貼り合せの前にそのズレを補正する必要がある。そのため、撮像処理で液晶パネルＳ１の四隅とカバーパネルＳ２の内枠Ｆの四隅付近（図９（Ａ）及び（Ｂ）の、破線の丸囲みで示した部分）の撮像を行い、位置検出処理で両パネルの四隅の座標を特定する。
【００６５】
この貼合処理での位置合わせのために取得されたカバーパネルＳ２の内枠Ｆの四隅の座標は、接着層誘導部形成処理においても利用される。上述したように、接着層誘導部ＲＧは、貼り合せ時に接着層Ｒ１の四隅を誘導できるように、カバーパネルＳ２の内枠Ｆの四隅に形成される。ここで、両パネルの位置合わせのために特定された四隅の座標を利用することで、正確な位置に接着層誘導部ＲＧの形成が可能となる。
【００６６】
撮像処理、位置検出処理及び接着層誘導部形成処理はそれぞれ別個に行っても良いが、コンベア４０の搬送方向への移動と撮像装置５及び接着層誘導部形成装置６の横断方向及び上下方向への移動を組み合わせて、同時進行的に行うことができる。
【００６７】
例えば、図８（Ａ）に示すように、まず、液晶パネルＳ１及びカバーパネルＳ２を載置したコンベア４０の搬送方向に移動させ、パネルの上流側に位置する端部（以降、前端という）が撮像装置５の下になる位置に停止させる。次に、図８（Ｂ）に示すように、撮像装置５を装置手前側から奥側へ横断方向に移動させ、各隅の位置で停止して各隅を含む画像を取得する。なお、コンベア４０及び撮像装置５の移動量及び停止位置は、パネルの寸法等に合わせて予め定めておき、制御装置７の記憶部に格納しておくことができる。
【００６８】
制御装置７は、撮像装置５が各隅の画像を取得するごとに、位置検出処理を行う。位置検出は、公知の方法を用いることができる。例えば、液晶パネルＳ１については、画像を解析してパネルの輪郭を検出し、パネル二辺の交点を中心とした所定範囲を隅として特定し、その座標を求める。カバーパネルＳ２については、同様に画像を解析して内枠Ｆの輪郭を検出し、内枠Ｆの枠線二辺の交点を中心とした所定範囲を隅として特定し、その座標を求める。
【００６９】
スタンプ用接着剤Ｒ１０の転写が行われるカバーパネルＳ２に対しては、位置検出処理の後、位置検出処理によって取得した座標に基づいて接着層誘導部形成処理も行う。制御装置７において特定された隅の座標に、接着層誘導部形成装置６のディスペンサ６１を移動させる。そして、ディスペンサ６１からスタンプ用接着剤Ｒ１０を吐出する。
【００７０】
カバーパネルＳ２に対して接着層誘導部形成処理を行う場合は、図９（Ａ）に示すように、カバーパネルＳ２の内枠Ｆの各隅の座標にディスペンサ６１を移動させる。さらにディスペンサ６１を下降させてノズル先端をカバーパネルＳ２の隅に押し付ける。スタンプ用接着剤Ｒ１０を吐出して、カバーパネルＳ２に転写する。ディスペンサ６１のノズル先端は、カバーパネルＳ２の内枠Ｆの隅に沿う形になっているため、図９（Ｂ）に示すように、スタンプ用接着剤Ｒ１０は、カバーパネルＳ２の内枠Ｆの隅に沿うように転写され、接着層誘導部ＲＧが形成される。
【００７１】
なお、ディスペンサ６１は撮像装置５に連結され、横断方向に隣接しているので、撮像装置５で隅を撮像した後に、撮像装置５を装置手前側又は奥側に移動させることで、ディスペンサ６１を容易に隅の座標に移動させることができる。
【００７２】
前端側の各隅に対して上述の処理が完了したら、図８（Ａ）に示すように、コンベア４０を搬送方向に移動して、液晶パネルＳ１及びカバーパネルＳ２の下流側に位置する端部（以降、後端という）が撮像装置５の下になる位置に停止させる。そして、図８（Ｂ）に示すように、装置奥側から手前側へ撮像装置５を横断方向に移動しながら後端側の各隅を撮像する。前端側と同様に、隅の画像を取得するごとに制御装置７において位置検出処理を行い、さらにカバーパネルＳ２については接着層誘導部形成処理も行う。
【００７３】
なお、上述した各隅の処理の順序は一例であり、順序は適宜変更することができる。また、コンベア４０の移動や撮像装置５及び接着層誘導部形成装置６の移動も相対的なもので良く、例えば撮像装置５及び接着層誘導部形成装置６を横断方向だけでなく搬送方向や搬送方向の逆方向に移動させて処理を行うようにしても良い。
【００７４】
［貼合処理］
液晶パネルＳ１及びカバーパネルＳ２の全ての四隅の撮像処理及び位置検出処理と、カバーパネルＳ２に対する接着層誘導部形成処理が完了すると、液晶パネルＳ１及びカバーパネルＳ２はコンベア４０上を搬送され、不図示のピックアップ手段によって貼合装置２に搬入される。このとき、上述の位置検出処理で検出された各隅の座標が維持されるように、搬入が行われる。
【００７５】
図３（Ａ）に示すように、貼合装置２において、接着層Ｒ１が形成された液晶パネルＳ１が下側プレート２２に載置される。このとき、接着層Ｒ１が形成された表面が上を向くように載置される。カバーパネルＳ２は貼り合せる面が下を向くように反転されて、上側プレート２３に受け渡されて保持機構により保持される。両パネルは、搬送装置４において検出された位置情報を保つように受け渡しされる。
【００７６】
このとき、チャンバ２１は上方に移動しているため、下側プレート２２と上側プレート２３は開放されている。両パネルの搬送が完了するとチャンバ２１は下方に位置するように駆動され、下側プレート２２と上側プレート２３をチャンバ２１の内部に収容する。チャンバ２１内部には密閉空間が形成され、図示しない排気手段によって密閉空間内が減圧される。
【００７７】
液晶パネルＳ１及びカバーパネルＳ２は、上述したように、それぞれの四隅を合わせるように積層されるが、それぞれの四隅の位置にずれが生じている可能性もあるため、貼り合せの前に、液晶パネルＳ１及びカバーパネルＳ２の位置補正を行う。位置補正は、搬送装置４の位置検出処理で検出された各隅の座標に基づいて行われる。位置補正は公知の方法を用いることができるが、例えば、制御装置７の記憶部に各隅の位置基準値を予め格納しておき、その位置基準値と検出した各隅の座標との差分から位置補正量を算出することができる。
【００７８】
算出された位置補正量に基づいて、上側プレート２３をｘ，ｙ，θ方向に動かすことで、液晶パネルＳ１及びカバーパネルＳ２の位置ずれを補正する。なお、ここでは上側プレート２３を動かして位置補正を行う例を説明したが、下側プレート２２の方、あるいは上側及び下側プレート２２，２３の両方を動かして位置補正を行っても良い。
【００７９】
位置ずれが補正された後、図３（Ｂ）に示すように、上側プレート２３が下側プレート２２に向かって下降し、上側プレート２３に保持されているカバーパネルＳ２を、下側プレート２２に支持されている液晶パネルＳ１に押し付ける。液晶パネルＳ１表面に形成された接着層Ｒ１は、液晶パネルＳ１を介して下側プレート２２に押圧され、両パネルに密着することにより、両パネルを貼り合せる。
【００８０】
貼り合せ時における接着層誘導部ＲＧの作用を、図１０に示している。両パネルが貼り合わされると、図１０（Ａ）に示すように、カバーパネルＳ２の内枠Ｆの四隅に形成された接着層誘導部ＲＧに、Ｒが形成された接着層Ｒ１の縁部の四隅の一部が接触する。すると、図面の丸囲みのなかの矢印で示すように、接着層誘導部ＲＧが呼び水となって接着層Ｒ１の四隅が展延し、カバーパネルＳ２との接触位置Ｃに、すなわち内枠Ｆの四隅に到達する。これによって、曲面形状の接着層Ｒ１の四隅と断面視略直角のカバーパネルＳ２の内枠Ｆの四隅との間に隙間が生じることを防止できる。すなわち、図１０（Ｂ）に示すように、印刷枠Ｐと接着層Ｒ１との間に隙間がない積層体Ｓ１０が出来上がる。
【００８１】
液晶パネルＳ１とカバーパネルＳ２の貼り合せが完了すると、減圧状態が解除され、チャンバ２１を上方に移動し、密閉空間が開放される。積層体Ｓ１０は、貼合装置２から搬出され、再び搬送装置４で搬送される。続いて、不図示のピックアップ手段によって硬化装置３へ搬入される。なお、貼合装置２から硬化装置３への搬送の過程で、積層体Ｓ１０を一定時間、大気中で放置しても良い。この放置時間において、積層体Ｓ１０が大気圧によって押圧されて安定する。また、接着層Ｒ１にボイドが残留していても、十分な時間放置することによって、ボイドも低減させることができる。
【００８２】
［硬化処理］
硬化装置３においては、図４に示すように、積層体Ｓ１０は載置台３１に載置され、照射ユニット３３によって、接着層Ｒ１が硬化するのに必要な強度の紫外線が照射され、接着層Ｒ１の本硬化が完了する。
【００８３】
［効果］
（１）本実施形態の表示装置用部材の製造装置１００は、表示装置を構成する液晶パネルＳ１及びカバーパネルＳ２からなる一対のワークが接着剤Ｒを介して貼り合わされた表示装置用部材の製造装置１００であって、液晶パネルＳ１上に接着剤Ｒを塗布して接着層Ｒ１を形成する接着剤塗布装置１と、液晶パネルＳ１上に接着層誘導部を形成する接着層誘導部形成装置６と、液晶パネルＳ１上に形成された接着層Ｒ１をカバーパネルＳ２に接触させることで一対のワークを貼り合せる貼合装置２と、を備え、接着層誘導部ＲＧは、貼合装置２において接着層Ｒ１の縁部の少なくとも一部をカバーパネルＳ２と接触する接触位置Ｃに誘導する。
【００８４】
接着層Ｒ１の縁部は表面張力のはたらきによって曲面形状になるため、貼り合せ時にカバーパネルＳ２との接触位置Ｃまで到達せず、縁部とカバーパネルＳ２の間に隙間が生じる可能性があるが、接着層誘導部ＲＧを形成してこの縁部をカバーパネルＳ２との接触位置Ｃまで誘導することによって、隙間の発生を防止することができる。これによって外観の良好な表示装置用部材Ｌを製造することができ、製品の歩留りも向上させることができる。また、接着層誘導部ＲＧを形成することによって、接着剤塗布装置１における接着剤Ｒの塗布時、接着層Ｒ１の縁部の形状を厳密に制御する必要がなくなる。これによって、多様な種類の接着剤やパネルを適用することができ、接着剤の塗布環境変動の影響を低減し、メンテナンスや条件出しなどを簡易化することができる。したがって、表示装置用部材の製造装置の適用範囲が広がり、生産性も向上できる。
【００８５】
（２）具体的には、カバーパネルＳ２には、多角形状である矩形の内枠Ｆが形成されている。接着剤塗布装置１は、液晶パネルＳ１上に内枠と相似形及び略同じ大きさの接着層Ｒ１を形成する。貼合装置２において、接着層Ｒ１が内枠Ｆ内に入るように液晶パネルＳ１とカバーパネルＳ２は貼り合わされる。接着層誘導部形成装置６は、カバーパネルＳ２の内枠Ｆの縁部の少なくとも一部に接着層誘導部ＲＧを形成する。接着層誘導部ＲＧは、貼り合せ時において、接着層Ｒ１の縁部の少なくとも一部を内枠Ｆの縁部に到達するように誘導する。
【００８６】
このように、内枠Ｆが形成されたカバーパネルＳ２との貼り合せにおいても、接着層誘導部ＲＧが接着層Ｒ１の縁部をカバーパネルＳ２の内枠Ｆの縁部に到達するように誘導することで、内枠Ｆとの間に視認可能なほどの隙間ができることを防止し、外観良好な表示装置用部材Ｌを作成することができる。
【００８７】
（３）より具体的には、カバーパネルＳ２の矩形の内枠Ｆは、各隅がほぼ直角である。特に、表示領域を大きくするため四隅に設けられるＲもほとんどない。また、矩形に塗布された接着層Ｒ１の縁部の各隅は塗布後曲面形状となる。
【００８８】
接着層Ｒ１の縁部のなかでも、表面張力が大きくはたらく四隅は、より大きな曲面が形成されるため、カバーパネルＳ２と接着剤との隙間が許容範囲を超えてしまう可能性も大きい。したがって、接着剤Ｒの塗布時あるいは塗布直後に接着層Ｒ１の縁部が許容範囲内の曲面に形成出来たとしても、四隅は許容範囲外となってしまう可能性がある。そこで、接着層Ｒ１の縁部の、特に四隅に対して、接着層誘導部ＲＧの形成を行うことによって、接着層Ｒ１の四隅が許容範囲外となることを防ぐことができる。つまり、スタンプ用接着剤Ｒ１０を接着層Ｒ１の縁部全体に塗布しなくても、隙間による外観不良や剥がれによる破損が低減される高い品質の表示装置用部材Ｌを製造することができる。さらに、スタンプ用接着剤Ｒ１０を接着層Ｒ１の縁部全体に塗布しなくてもよいので、接着層誘導部ＲＧの形成時間の短縮ができ、接着層誘導部形成装置６も簡単な構成とできる。
【００８９】
（４）表示装置用部材の製造装置１００は、液晶パネルＳ１及びカバーパネルＳ２を撮像する撮像装置５を更に備える。接着層誘導部形成装置６は、撮像装置５が撮像した液晶パネルＳ１及びカバーパネルＳ２の画像に基づいてカバーパネルＳ２に対して接着層誘導部ＲＧを形成しても良い。これによって、正確な位置に接着層誘導部ＲＧを形成することが可能となる。
【００９０】
（５）表示装置用部材の製造装置１００は、液晶パネルＳ１及びカバーパネルＳ２を接着剤塗布装置１と貼合装置２との間で搬送する搬送装置４を更に備え、撮像装置５及び接着層誘導部形成装置６は、この搬送装置４に隣接して設けられている。貼合装置２は、撮像装置５が撮像した液晶パネルＳ１及びカバーパネルＳ２の画像に基づいて、液晶パネルＳ１及びカバーパネルＳ２の位置合わせを行う。すなわち、撮像装置５で撮像した画像は、接着層誘導部の形成位置の決定だけではなく、貼り合せの際の位置合わせにも利用される。すなわち、それぞれの処理に対して複数の撮像装置５を設ける必要がなく、製造効率を上げることができ、部品点数の低減にもつなげることができる。
【００９１】
（６）接着層誘導部ＲＧは、親接着剤性材料により形成すると良い。接着剤と親和性が高い親接着剤性材料により接着層誘導部ＲＧを形成することにより、接着層をスムーズに誘導することができる。
【００９２】
（７）親接着性材料には、接着層Ｒ１を形成する接着剤Ｒよりも粘度の低い接着剤Ｒ１０を用いても良い。接着層誘導部ＲＧを形成する接着剤Ｒ１０は、呼び水としての役割を果たせれば良く、接着層Ｒ１を形成する接着剤Ｒのように分厚く塗布する必要がないことから、接着層Ｒ１の崩れの心配が無い。そのため、接着剤Ｒよりも粘度の低いものを用いることで、取り扱いが容易となり、誘導部形成手段を簡易化でき、装置コストを低減することができる。
【００９３】
（８）接着層誘導部形成装置６は、接着剤Ｒ１０を塗布面に押し付けて転写するスタンプ式ノズルを備えるものとすることができる。これによって、接着剤Ｒ１０を所望の大きさで薄く塗布することができ、カバーパネルＳ２の形状に合わせた接着層誘導部ＲＧを形成することが可能である。
【００９４】
［第２の実施形態］
［構成］
次に、第２の実施形態について、図１１を参照して説明する。なお、以降の実施形態においては、第１の実施形態の構成要素と同一の構成要素については、同一の符号を付与し詳細な説明を省略する。
【００９５】
第１の実施形態では、接着層誘導部形成装置６は搬送装置４に設けられていたが、第２の実施形態では、接着層誘導部形成装置６が接着剤塗布装置１の前段に設けられている態様を説明する。
【００９６】
また、第２の実施形態において、図１１に示すように、接着剤塗布装置１は、塗布された接着剤に対して仮硬化処理を行う照射ユニット１３を備えている。照射ユニット１３は、ステージの移動方向において塗布ユニットの下流側に設けられている。
【００９７】
照射ユニット１３は、接着剤Ｒに対して仮硬化のためのエネルギーを照射する処理部である。仮硬化は、接着剤Ｒの大部分がゲル化するものの、完全には硬化していない状態にすることを意味する。照射するエネルギーの種類は、使用する接着剤Ｒの種類によって、紫外線、赤外線、電磁波、放射線等から適宜選択することができる。なお、仮硬化による流動の抑制の必要性が高い接着剤の粘度としては、２千〜数万ｃｐｓが想定され、比較的粘度の低い２千〜５千ｃｐｓが好ましい。
【００９８】
本実施形態では接着剤ＲにＵＶ硬化樹脂を用いているため、照射ユニット１３は、紫外線（ＵＶ）を発することができる１つ又は複数のＬＥＤやＬＤ、ランプ等の照射源を有している。照射ユニット１３は、ステージ１１ａ上方において、塗布ユニット１２に隣接するように配置され、照射源はステージ１１ａ上に載置された液晶パネルＳ１に対向するように取り付けられている。これによって、ステージ１１ａの移動に伴って接着剤Ｒが塗布された液晶パネルＳ１に対し、連続してエネルギー照射を行うことができる。
【００９９】
接着層誘導部形成装置６は、支持ユニット１１の上方の、照射ユニット１３の下流側に設けられている。接着層誘導部形成装置６は、スタンプ用接着剤Ｒ１０を収容するタンクＴ１０と、ディスペンサ６２とを備えている。ディスペンサ６２は、第１の実施形態と同様に、スタンプ式ノズルを用いる。第２の実施形態において、ディスペンサ６２は、図１２（Ａ）に示すように、液晶パネルＳ１の横断方向に沿って延びる支持部に、２つのノズルが設けられた構成となっている。２つのノズルは液晶パネルＳ１の横断方向の幅と略同じ長さの間隔を空けて設けられており、液晶パネルＳ１が接着層誘導部形成装置６の下に位置したとき、それぞれのノズルが液晶パネルＳ１の横断方向に沿った辺上に位置するようになっている。
【０１００】
接着層誘導部形成装置６は、不図示の駆動装置に連結されており、少なくとも上下方向に移動可能となっている。なお、接着層誘導部形成装置６は固定とし、支持ユニット１１のステージ１１ａを上下方向に移動できるようにしても良い。
【０１０１】
［作用］
第２の実施形態では、接着層誘導部形成処理は接着剤塗布処理の前に、液晶パネルＳ１に対して行われる。すなわち、液晶パネルＳ１に接着層Ｒ１を形成する前に、予め液晶パネルＳ１に対して接着層誘導部ＲＧを形成しておく。接着層誘導部ＲＧは、液晶パネルＳ１の、接触位置Ｃ（図１０（Ａ）及び図２０（Ａ）参照）に対応する位置に形成する。具体的には、貼り合わせ時においてカバーパネルＳ２の内枠Ｆの四隅と対向する液晶パネルＳ１の位置に形成される。上述したように、液晶パネルＳ１は透明パネルの内枠Ｆよりも若干大きいため、液晶パネルＳ１の外縁の四隅よりも、若干内側に形成する。これによって、接着層誘導部形成処理後に形成された接着層Ｒ１の四隅が接着層誘導部ＲＧに誘導されて、接触位置Ｃまで到達する。第２の実施形態の接着層誘導部形成処理の具体的な動作を以下に説明する。
【０１０２】
支持ユニット１１のステージ１１ａが移動して、液晶パネルＳ１の下流側の端部が接着層誘導部形成装置６の下に到達したところで停止する。
【０１０３】
接着層誘導部形成装置６は、下方向に移動し、図１２（Ａ）に示すように、２つのノズルの先端を液晶パネルＳ１上の接着位置に押し付ける。そこでノズル先端からスタンプ用接着剤Ｒ１０を吐出して、液晶パネルＳ１上に転写し、接着層誘導部ＲＧを形成する。続いて、接着層誘導部形成装置６を一旦上方向に退避させ、ステージ１１ａを再び下流方向移動させ、液晶パネルＳ１の上流側の端部が接着層誘導部形成装置６の下に到達したところでステージ１１ａを再び停止させる。接着層誘導部形成装置６は、下方向に移動し、接着層誘導部形成装置６が２つのノズルからスタンプ用接着剤Ｒ１０を吐出して液晶パネルＳ１上に転写し、接着層誘導部ＲＧを形成する。これによって、図１２（Ｂ）及び（Ｃ）に示すように、液晶パネルＳ１の四隅付近、すなわち貼り合せ時にカバーパネルＳ２の内枠Ｆの四隅と対向する位置に接着層誘導部ＲＧが形成される。
【０１０４】
上述したステージ１１ａの移動量及び停止位置は、接着層誘導部形成装置６の上下方向の移動量は、液晶パネルＳ１の寸法等に合わせて予め定めておき、制御装置７の記憶部に格納しておくことができる。
【０１０５】
接着層誘導部ＲＧを形成された液晶パネルＳ１は、ステージ１１ａのさらなる移動によって塗布ユニット１２の下へ移動し、接着層誘導部ＲＧが形成された液晶パネルＳ１の全面に接着剤Ｒが塗布され、接着層Ｒ１が形成される。図１３（Ａ）及び図１４（Ａ）に示すように、接着層Ｒ１の縁部は、一部が接着層誘導部ＲＧに乗り上げた形となる。図中矢印で示すように、接着層Ｒ１は接着層誘導部ＲＧに接触することによって、接着層誘導部ＲＧ側に誘導され、図１３（Ｂ）及び図１４（Ｂ）に示すように、接着層誘導部ＲＧの外縁まで流動する。すなわち、接着層Ｒ１は、接着層誘導部ＲＧによって貼り合わせ時においてカバーパネルＳ２の内枠Ｆの四隅と接触する位置まで誘導される。
【０１０６】
なお、図１４（Ｂ）では、わかりやすくするために接着層Ｒ１と接着層誘導部ＲＧを分離して表示しているが、実際には、接着層Ｒ１が接着層誘導部ＲＧに誘導された後は、接着層Ｒ１と接着層誘導部ＲＧは一体化している。
【０１０７】
ステージ１１ａはさらに移動を継続し、接着層Ｒ１の始端が照射ユニット１３の下方に位置したところで、照射ユニット１３はエネルギーの照射を開始する。ステージ１１ａは移動を継続し、接着層Ｒ１の終端が照射ユニット１３を通り過ぎたところで、照射ユニット１３は照射を終了する。接着層Ｒ１は仮硬化の状態となり、接着層Ｒ１は流動が抑制された状態となる。接着層誘導部ＲＧによって接着層Ｒ１を誘導した直後に仮硬化を行うことによって、接着層Ｒ１の縁部に再び表面張力がはたらいて曲面状態が大きくなってしまうことを低減できる。このとき、照射ユニット１３で照射する総エネルギーを調整して、接着剤Ｒの硬化率を調整すると良い。あるいは、照射ユニット１３でエネルギーが照射される部分の雰囲気ガスの成分を調整して、接着剤Ｒの硬化率を調整すると良い。この場合は、照射ユニット１３の下方に位置する接着層Ｒ１の周囲を覆い、内部の雰囲気調整を行うことができる機構を設けても良い。接着剤Ｒが８０％程度以下の硬化率となり、特に接着層Ｒ１の表面に流動性が残る程度に仮硬化を行うと良い。そうすれば、仮硬化した後で貼り合わせしたとしても、接着層誘導部ＲＧによって接着層Ｒ１はカバーパネルＳ２の四隅に到達するように流動することができる。
【０１０８】
貼合装置２において、第１の実施形態と同様に、液晶パネルＳ１とカバーパネルＳ２が貼り合わされる。図１３（Ｃ）に示すように、接着層誘導部ＲＧによって接着層Ｒ１の四隅はカバーパネルＳ２の内枠Ｆの四隅との接触位置まで誘導されているので、カバーパネルＳ２の内枠Ｆの四隅との間の隙間の発生を防止することができる。
【０１０９】
なお、ここでは、接着層誘導部形成装置６を２本のノズルから構成する例を説明したが、液晶パネルの四隅の接触位置と対応する位置にそれぞれ配置された４本のノズルから構成しても良い。それによって、四隅に対する接着層誘導部形成処理を一度に行うことができるため、製造時間の短縮となる。
【０１１０】
［効果］
（１）第２の実施形態において、接着層誘導部形成装置６は、接着剤塗布装置１の前段に設けられており、接着層Ｒ１の形成前に、液晶パネルＳ１に接着層誘導部ＲＧを形成する。これによって、第１の実施形態と同様に、接着層Ｒ１の縁部をカバーパネルＳ２との接触位置まで誘導することができ、隙間の発生を防止することができる。これによって外観の良好な表示装置用部材Ｌを製造することができ、製品の歩留りも向上させることができる。
【０１１１】
（２）また、接着剤塗布装置１の後段にエネルギーを照射することにより接着剤を仮硬化させる照射ユニット１３を設けることにより、接着層誘導部ＲＧによって接触位置Ｃに誘導された接着層Ｒ１を仮硬化し、貼り合せまでその形状を保つことができる。なお、仮硬化処理は必須ではなく、接着剤Ｒの粘度等を考慮して適宜省略しても良い。特に、本実施形態では、接着層Ｒ１を形成した液晶パネルＳ１側に接着層誘導部ＲＧを設けているため、この接着層誘導部ＲＧ自体が接着層Ｒ１の流動を抑制する留め部となり、少なくとも接着層Ｒ１のカバーパネルＳ２との接触面が流動して広がることを抑制することができる。
【０１１２】
［その他の実施形態］
（１）上述の実施形態では、接着層誘導部ＲＧの形成にスタンプ式ノズルを用いたが、これに限られず、例えば、他の転写装置や微小の液滴を塗布できるジェットノズルやニードルノズルを用いることができる。微小の液滴を塗布できるジェットノズルを複数備える場合には、インクジェットプリントのように、塗布したい形状に合わせて塗布パターンを形成することができる。他の転写装置としては、接着剤溜まりに転写治具を浸漬して塗布面に押し付けることにより転写するものを用いることができる。パネルの形状に応じて必要な形状の接着層誘導部ＲＧを形成できるように、ノズルや転写治具の形状も適宜変更することができる。例えば、上述の実施形態では、カバーパネルＳ２の内枠Ｆは、矩形状で四隅に丸みがつき、断面視直角なものを例に説明したが、これに限られない。例えば、四隅に丸みが無いもの、すなわち水平視略直角なものを用いても良い。あるいは、断面視略直角ではなく、例えばＲ形状等の様々な形状のものを用いても良い。このような様々な内枠Ｆの形状に対して、塗布パターンを柔軟に変更して接着層誘導部ＲＧを形成することで、様々な製品に対応することができ、利便性の高い装置を提供することができる。
【０１１３】
（２）また、接着層誘導部ＲＧを形成する材料は、接着剤に限られず、親接着剤性を有する材料であれば用いることができる。接着剤を含む親接着剤性材料の塗布厚は、数μｍ程度でよい。接着層Ｒ１の厚みへの影響を少なくするためには、接着層誘導部ＲＧは薄い方が良い。例えば、接着層Ｒ１の厚さが数十〜数百μｍの厚さとなる場合には、接着層Ｒ１の厚さの１／２以上〜１／５以下の厚さとすると良い。
【０１１４】
（３）接着層誘導部ＲＧは、接着層Ｒ１を所望の位置に誘導することができるものであれば良く、親接着剤性材料から形成されるものに限られない。例えば、パネル表面の粗さを変えることで接着層誘導部を形成しても良い。「粗さを変える」とは粗さを大きくするだけではなく、粗さを小さくして表面をより滑らかにすることを含む。粗さを大きくする場合は、接着層誘導部形成装置６として、ディスペンサ６１又は６２に代えて、例えばサンドブラスト、ケミカルエッチング、プラズマエッチング、レーザーアブレーション等のパネル表面に粗さを付ける手段を備えるようにすると良い。パネル表面に粗さを付けた部分が接着層誘導部ＲＧとなり、接着層Ｒ１の四隅をカバーパネルＳ２の内枠Ｆとの接触位置まで流動させる。
【０１１５】
また、接着層誘導部にプラズマ処理等を施すことによって、表面を改質し接着剤の流動を促しても良い。例えば、パネル表面の活性状態を変えることで接着層誘導部を形成しても良い。例えば、パネル表面を水酸（ＯＨ）基終端化することで、パネル表面の活性状態を変え、新接着剤性を得ることができる。パネルとしてシリカを原料とするガラスを用いる場合は、酸化処理を行うことで、水酸基（ＯＨ基）終端状態とすることができる。酸化処理としては、酸化プラズマ処理や薬液処理を用いることができる。
【０１１６】
あるいは、接着剤塗布装置１において接着剤Ｒを液晶パネルＳ１に塗布し、照射ユニット１３で仮硬化した後、四隅の部分を所定の力で押圧しても良い。押圧された部分が接着層誘導部ＲＧとなり、接着層Ｒ１の四隅をカバーパネルＳ２の内枠Ｆとの接触位置まで流動させる。押圧には、例えば、液晶パネルＳ１と同じ大きさの矩形のプレートで、四隅の部分だけがわずかに下方に突出したものを用いて行うことができる。
【０１１７】
（４）上述の実施形態では、液晶パネルＳ１及びカバーパネルＳ２を搬送する搬送部としてコンベア４０を備えた搬送装置４の例を説明したが、これに限られない。搬送部は、例えば、図１５に示すように、上下に平行に配置された二本のアーム４１ａ，４１ｂを備えた保持手段４１を、レール４２上を走行可能に配置したものとしても良い。
【０１１８】
液晶パネルＳ１及びカバーパネルＳ２は、二本のアーム４１ａ，４１ｂのそれぞれに保持され、対向する形でレール上を搬送される。撮像装置５及び接着層誘導部形成装置６は、レール上の二本のアーム４１ａ，４１ｂの間に位置するように配置される。この場合、撮像装置５は、例えば上下両側にカメラを備えたものとすることができる。これによって、上下のパネルを同時に撮像することができる。
【０１１９】
（５）上述の実施形態では、接着層Ｒ１の縁部の四隅に対して接着層誘導部ＲＧの形成を行ったが、四隅のみに限られず、縁部の他の部分や、図１６に示すように、縁部全体に形成しても良い。その場合、接着層誘導部形成装置６は、上述の実施形態と同様の構成とすることができるが、少量の接着剤を連続的に塗布することができるマルチノズルやニードルノズルを用いても良い。また、例えば、Ｒの大きな接着層Ｒ１の四隅はスタンプ用接着剤Ｒ１０の塗布量を多くし、その他の直線部分とでは塗布量を少なくする等、塗布量を場所によって調整しても良い。また、接着層誘導部ＲＧの形成は、表示装置用部材の製造装置１００に液晶パネルＳ１を搬入する前に、予め別工程で行っても良い。
【０１２０】
（６）表示装置用部材の製造装置１００は接着剤塗布装置１、貼合装置２及び硬化装置３の前後又はその間に別の工程を行う装置を備えても良い。例えば、完成した液晶表示パネルを梱包するテーピングユニット等を備えても良い。また、接着剤の種類によって硬化処理が不要な場合や、硬化処理を別体の装置で行う場合等には、硬化装置３の無い表示装置用部材の製造装置１００としても良い。
【０１２１】
（７）上述の実施形態では、液晶パネルＳ１を第１のワークとし、カバーパネルＳ２を第２のワークとして説明したが、もちろん、カバーパネルＳ２を第１のワークとし、液晶パネルＳ１を第２のワークとしても良い。すなわち、第１の実施形態を適用する場合は、カバーパネルＳ２の方に接着層Ｒ１を形成し、液晶パネルＳ１の方に接着層誘導部ＲＧを形成しても良い。あるいは、第２の実施形態を適用する場合は、カバーパネルＳ２の方に接着層誘導部ＲＧを形成した上で、接着層Ｒ１を形成しても良い。
【０１２２】
また、上述の実施形態では、カバーパネルＳ２の内枠Ｆの縁部に接着層誘導部ＲＧを形成する例で説明したが、図１７に示すように、内枠Ｆの縁部から印刷枠Ｐにまたがって接着層誘導部ＲＧを形成してもよい。この場合も、接着層誘導部ＲＧを、接着層Ｒ１が対向する液晶パネルＳ１と接触すべき位置に誘導されるように形成すればよい。
【０１２３】
また、接着層Ｒ１を、液晶パネルＳ１とカバーパネルＳ２のいずれかではなく、双方に形成しても良い。また、接着層誘導部ＲＧも、液晶パネルＳ１とカバーパネルＳ２のいずれかではなく双方に形成しても良い。すなわち、一対のワークへの接着層Ｒ１の形成及び接着層誘導部ＲＧの形成の組み合わせは、自由に決定することができる。いずれのパターンにおいても、接着層誘導部ＲＧは、一方のワーク上に形成された接着層Ｒ１の縁部を、他方のワークと接触すべき位置である接触位置に誘導することができる。
【０１２４】
本来、貼り合わされる一対のワークは、接着剤Ｒを適切な量塗布して、貼り合わせ部分全てを接着層Ｒ１で埋めることが理想である。接着剤Ｒの量が少ないと、接着層Ｒ１で充填されない部分が境界線となって製品の価値を低下させるおそれがある。接着剤Ｒの量が多いと、接着層Ｒ１が貼り合せ部分からはみ出してしまい、表示装置用部材の組み立て性を阻害する要因となったりする。接着層Ｒ１のはみ出しがなるべく出ないように塗布量を調整しても、接着層Ｒ１の縁部には表面張力が働くため、貼り合せ部分の全てよりは概ね少ない面積しか埋めることができない。このように、ただ接着剤Ｒを塗布しただけでは埋められない部分、すなわち、本来は接着剤が接触すべきであるワークの部分が、接触位置である。上述の実施形態で記載した接触位置Ｃは、ワーク上の接着層Ｒ１が接触すべき位置全てを意味し、接着層誘導部ＲＧを設けることで、接着層Ｒ１が埋められなかった部分も充填することができる。
【０１２５】
また、液晶パネルＳ１及びカバーパネルＳ２はあくまで貼り合せ対象となるワークの一例であり、表示装置を構成する積層体となる部材であって、接着剤Ｒを面状に塗布して貼り合わせるものであれば、種類、大きさ、形状、材質等は問わない。もちろん、印刷枠の無いワークを貼り合せても良い。例えば、偏光板等を含む表示パネル、操作用のタッチパネル、表面を保護するカバーパネルＳ２、平板状のバックライトやバックライトの導光板等、これらの少なくとも２種を貼合して表示装置用部材Ｌを構成するものであればよい。表示装置としても、液晶ディスプレイ、有機ＥＬディスプレイ等、貼り合わされる平板状のワークを有し、現在又は将来において利用可能な表示装置を広く含む。
【０１２６】
上述したようなバリエーションの例として、図１８に、印刷枠Ｐの無いほぼ同じ大きさの一対のパネルＳ１１及びＳ１２の貼り合せの様子を示す。接着層Ｒ１はパネルＳ１１上に形成し、接着層誘導部ＲＧは、パネルＳ１１，Ｓ１２の双方に形成した。このように、パネルＳ１１とパネルＳ１２の双方に接着層誘導部ＲＧを形成すると、液晶パネルＳ１１のみに接着層Ｒ１を形成していても、接着層Ｒ１をパネルＳ１１とパネルＳ１２双方の四隅に接着層Ｒ１が誘導することができる。これによって、製品の剥離をより起こりにくくすることができる。なお、図１８では、わかりやすくするためにパネルＳ１１の接着層Ｒ１と接着層誘導部ＲＧを別々に表示しているが、実際には、接着層Ｒ１は接着層誘導部ＲＧに誘導されて、パネルＳ１２との貼り合せの際には一体化している。
【０１２７】
（８）また、互いに貼り合わされる一対のワークは、１枚であっても、複数枚の積層体であってもよい。表示パネル、駆動回路、プリント基板を貼合した積層体に、さらに、タッチパネル、保護パネル又は複合パネルを貼合する等であってもよい。すなわち、表示装置用部材Ｌとして積層されるワークの積層数は、特定の数には限定されない。
【０１２８】
（９）上述の実施形態では、矩形状のワークの貼り合せであったため、接着層Ｒ１を矩形状に塗布したが、ワークの形状に合わせて、接着層Ｒ１は円形状や多角形状に形成しても良い。そして、スタンプ用接着剤Ｒ１０の供給位置は、接着層Ｒ１と貼り合せられるワークの形状に応じて、接着層Ｒ１と対向するワークとの間の隙間が生じないように適宜決定することができる。例えば、三角形、五角形又は六角形の接着層Ｒ１であれば、その各隅に対してスタンプ用接着剤Ｒ１０を供給しても良い。また、例えば、円形状の接着層Ｒ１であれば、縁部全周に渡ってスタンプ用接着剤Ｒ１０を供給しても良い。
【０１２９】
（１０）上述の実施形態では、貼合装置２０のチャンバ２１内部を減圧して真空下で貼り合せを行ったが、大気下で貼り合せを行っても良い。これらの場合は、密閉し減圧する空間を形成するために必要な手段を設けなくて済むので、より低コストに装置を構成でき、低コストで表示パネルを製造できる。
【０１３０】
（１１）第２の実施形態で仮硬化を行うことを説明したが、第２の実施形態に限られず、他の実施形態においても仮硬化処理を行っても良い。もちろん、いずれの実施形態でも仮硬化は必須ではなく、使用する接着剤の粘度等を考慮して適宜行うことができる。
【０１３１】
また、上述の実施形態では、例えば図１０や図１３のように、サイズの小さい液晶パネルＳ１のほぼ全面に接着層Ｒ１を設けた例を説明したが、サイズの大きなカバーパネルＳ２の方に接着層Ｒ１を設ける場合は、貼り合わせる液晶パネルＳ１のサイズに応じた大きさの接着層Ｒ１をカバーパネルＳ２に面状に設けることは自明である。
【符号の説明】
【０１３２】
１  接着剤塗布装置
２  貼合装置
３  硬化装置
４  搬送装置
５  撮像装置
６  接着層誘導部形成装置
７  制御装置
１１  支持ユニット
１１ａ  ステージ
１１ｂ  駆動機構
１２  塗布ユニット
１３  照射ユニット
１４  ディスペンサ
２１  チャンバ
２２  下側プレート
２３  上側プレート
２５  駆動機構
３１  載置台
３３  照射ユニット
４０  コンベア
５１ａ  カメラ本体
５１ｂ  レンズ鏡筒
６１，６２  ディスペンサ
１００  表示装置用部材の製造装置
２００  ローダ
３００  アンローダ
Ｓ１  液晶パネル
Ｓ２  カバーパネル
Ｃ  接触位置
Ｐ  印刷枠
Ｆ  内枠
Ｓ１０  積層体
Ｌ  表示装置用部材
Ｒ  接着剤
Ｒ１  接着層
Ｒ１０  スタンプ用接着剤
ＲＧ  接着層誘導部
Ｔ，Ｔ１０  タンク
【図１】
2015194727.tif 000003
【図２】
2015194727.tif 000004
【図３】
2015194727.tif 000005
【図４】
2015194727.tif 000006
【図７】
2015194727.tif 000007
【図５】
2015194727.tif 000008
【図６】
2015194727.tif 000009
【図８】
2015194727.tif 000010
【図９】
2015194727.tif 000011
【図１０】
2015194727.tif 000012
【図１１】
2015194727.tif 000013
【図１２】
2015194727.tif 000014
【図１３】
2015194727.tif 000015
【図１４】
2015194727.tif 000016
【図１５】
2015194727.tif 000017
【図１６】
2015194727.tif 000018
【図１７】
2015194727.tif 000019
【図１８】
2015194727.tif 000020
【図１９】
2015194727.tif 000021
【図２０】
2015194727.tif 000022